(57)【要約】【課題】建造物の室内に設置された椅子の利用者に対して最適なタスク・アンビエント空調を実施することができるタスク・アンビエント空調システムを提供する。【解決手段】タスク・アンビエント空調システム１０では、運転状態判断手段によってＯＮ状態にある椅子の割合が有効割合未満であると判断した場合、又は、アンビエント空調制御変更演算手段によって平均出力値が設定出力値未満であると判断した場合、空調装置１３の設定温度をあらかじめ設定された設定温度に維持する通常モードで空調装置１３を運転し、運転状態判断手段によってＯＮ状態にある椅子１４の割合が有効割合以上であると判断するとともに、アンビエント空調制御変更演算手段によって平均出力値が設定出力値以上であると判断した場合、空調装置１３の設定温度を通常モードで運転する空調装置１３の設定温度よりも上昇又は低下させるブーストモードで空調装置１３を運転する。【選択図】図１
2020173068.tif 000002
【特許請求の範囲】
【請求項１】
所定温度の空調空気を室内に給気する空調装置と、前記室内に設置されて利用者が着座する１つ又は複数の椅子とを備え、それら椅子が、それに着座した利用者に向かって所定風量の空気を送風する送風モードとそれに着座した利用者の臀部と腰部と背中とのうちの少なくとも臀部を暖める暖房モードとのいずれかの運転モードで運転しているＯＮ状態と、前記送風モードと前記暖房モードとのいずれの運転もしていないＯＦＦ状態とを有し、前記空調装置を利用して前記室内のタスク域を空調するタスク・アンビエント空調システムにおいて、
前記タスク・アンビエント空調システムが、前記ＯＮ状態にある椅子を判断する運転状態判断手段と、前記運転状態判断手段によって前記ＯＮ状態にある椅子が前記送風モード又は前記暖房モードのいずれかのモードであることを検出してアンビエント空調制御目標値を演算するアンビエント空調制御変更演算手段とを有し、
前記タスク・アンビエント空調システムでは、前記運転状態判断手段と前記アンビエント空調制御変更演算手段とによって前記空調装置の設定温度を前記通常モードで運転する該空調装置の設定温度よりも上昇又は低下させるブーストモードで該空調装置を運転することを特徴とするタスク・アンビエント空調システム。
【請求項２】
前記運転状態判断手段が、前記ＯＮ状態にある椅子の割合が有効割合以上であるかを判断し、前記アンビエント空調制御変更演算手段が、前記運転状態判断手段によって前記ＯＮ状態にある椅子の割合が有効割合以上であると判断した場合、前記送風モードで運転している椅子の出力又は前記暖房モードで運転している椅子の出力値を平均化した平均出力値が設定出力値以上であるかを判断し、前記タスク・アンビエント空調システムでは、前記運転状態判断手段によって前記ＯＮ状態にある椅子の割合が有効割合未満であると判断した場合、又は、前記アンビエント空調制御変更演算手段によって前記平均出力値が設定出力値未満であると判断した場合、前記空調装置の設定温度をあらかじめ設定された設定温度に維持する通常モードで該空調装置を運転し、前記運転状態判断手段によって前記ＯＮ状態にある椅子の割合が有効割合以上であると判断するとともに、前記アンビエント空調制御変更演算手段によって前記平均出力値が設定出力値以上であると判断した場合、前記空調装置の設定温度を前記通常モードで運転する該空調装置の設定温度よりも上昇又は低下させる前記ブーストモードで該空調装置を運転する請求項１に記載のタスク・アンビエント空調システム。
【請求項３】
前記タスク・アンビエント空調システムが、前記運転状態判断手段と前記アンビエント空調制御変更演算手段とを実施するとともに、所定のネットワークを介して前記空調装置の運転を通常モード又はブーストモードに切り替えるアンビエント域空調制御変更手段を含み、前記椅子を識別可能な識別子が、各椅子毎に付与され、前記アンビエント域空調制御変更手段が、前記識別子によってそれら椅子を特定し、前記椅子が、それに着座した利用者に向かって所定風量の空気を送風する送風装置と、それに着座した利用者の臀部と腰部とのうちの少なくとも臀部を暖める加熱装置と、前記利用者の着座及び非着座を検知する着座センサと、該椅子の送風装置及び加熱装置のＯＮ／ＯＦＦを切り替えるとともに該椅子の送風モードと暖房モードとを切り替える切替手段と、該椅子の送風装置の出力及び加熱装置の出力を調節する出力調節手段と、該椅子の識別子、前記着座センサが検知した着座状態値、前記送風装置及び前記加熱装置のＯＮ／ＯＦＦ状態値、前記送風装置の出力値又は前記加熱装置の出力値を前記ネットワークを介して前記アンビエント域空調制御変更手段に送信する通信手段とを有する請求項２に記載のタスク・アンビエント空調システム。
【請求項４】
冷房期間中における前記空調装置のブーストモードでの運転では、該空調装置の設定温度を前記通常モードで運転する該空調装置の設定温度よりも低下させ、暖房期間中における前記空調装置のブーストモードでの運転では、該空調装置の設定温度を前記通常モードで運転する該空調装置の設定温度よりも上昇させる請求項２又は請求項３に記載のタスク・アンビエント空調システム。
【請求項５】
前記運転状態判断手段では、前記利用者が着座した椅子の数を分母とし、前記利用者が着座した椅子のうちの前記ＯＮ状態にある椅子の数を分子として該ＯＮ状態にある椅子の割合を算出し、算出したＯＮ状態にある椅子の割合が有効割合以上であるかを判断する請求項２ないし請求項４いずれかに記載のタスク・アンビエント空調システム。
【請求項６】
前記タスク・アンビエント空調システムでは、前記運転状態判断手段において判断される前記ＯＮ状態にある椅子の有効割合が７０％〜９０％の範囲で設定され、前記アンビエント空調制御変更演算手段において判断される平均出力値の設定出力値が最大平均出力値の５０％〜７０％の範囲で設定される請求項２ないし請求項５いずれかに記載のタスク・アンビエント空調システム。
【請求項７】
前記アンビエント域空調制御変更手段が、各椅子に付与された前記識別子を利用して所定数の椅子を一纏めにした第１椅子グループ〜第ｎ椅子グループにグループ分けし、前記第１椅子グループ〜第ｎ椅子グループのグループ毎に前記運転状態判断手段と前記アンビエント空調制御変更演算手段とを実施し、前記通常モード又は前記ブーストモードで運転する前記空調装置から所定温度の空調空気を第１椅子グループ〜第ｎ椅子グループの各グループ毎に給気させる請求項３ないし請求項６いずれかに記載のタスク・アンビエント空調システム。
【発明の詳細な説明】
【技術分野】
【０００１】
本発明は、空調装置を利用して室内のタスク域を空調するタスク・アンビエント空調システムに関する。
【背景技術】
【０００２】
利用者の携帯端末から無線通信によって通知された空調制御対象となる１つまたは複数のエリアにおける空調環境に関する要望申告をそれぞれ集計し、得られた集計結果に基づいてそのエリアの空調設備による空調制御を調整する空調制御調整装置が開示されている（特許文献１参照）。この空調制御調整装置は、要望申告に含まれる要望申告内容に基づいて、一定の集計期間ごとに、エリアに関する要望申告内容を集計する要望申告集計部と、エリアで実施している空調制御内容及びエリアで計測した空調環境状況とエリアに関する要望申告内容の集計結果とに基づいて、エリアの新たな空調制御内容を決定し、エリアの空調設備に対して指示する制御内容指示部とを備えている。
【０００３】
また、利用者の着座荷重を支持する椅子本体と、椅子に固定されて吸入した空気を送出する送気装置と、送気装置から送出された空気を所定方向に案内して吹き出す誘導吹き出し手段とを備えた椅子が開示されている（特許文献２参照）。この椅子の誘導吹き出し手段は、先端部が椅子本体の外側位置に向かうように延設された誘導通路と、誘導通路の先端部に設けられ、空気の吹き出し方向が椅子本体の荷重支持面と交差しかつ着座者方向に向く角度範囲で、空気の吹き出し角度を調整可能な吹き出し部とを有している。
【先行技術文献】
【特許文献】
【０００４】
【特許文献１】特開２０１６−２００３７３号公報
【特許文献２】特開２０１８−１０８１７７号公報
【発明の概要】
【発明が解決しようとする課題】
【０００５】
前記特許文献１に開示の空調制御調整装置は、利用者が携帯端末を用意する必要があり、その携帯端末に専用アプリケーションをインストールし、空調制御調整装置を利用する利用者が携帯端末から無線通信によってエリアにおける空調環境に関する要望申告を空調制御調整装置に申告しなければならず、要望を申告する手間がかかるとともに、要望の申告を好まない利用者にとっては申告が煩わしく負担に感じる場合がある。また、エリアの空調制御内容が属性（年齢や性別、職場であれば役職の違い等）の異なる利用者の意識（考え）に基づいて決定されるから、各利用者の意識（考え）が乖離する場合、エリアの空調制御内容が各利用者にとって不適なものとなる場合がある。
【０００６】
前記特許文献２に開示の椅子は、椅子に着座した利用者（タスク域）に向かって送気装置から空気が送風されるが、椅子を設置した室内のアンビエント域空調と連動することはなく、各椅子の使用状況に応じて室内の空調空気の温度を変更することはできず、椅子の利用者に対して最適なタスク・アンビエント空調を実施することができない。
【０００７】
本発明の目的は、室内の各利用者が意識的にアンビエント域空調の設定変更操作をする必要はなく、各利用者の手間を省くことができるとともに各利用者が負担を感じることがなく、各利用者の意識（考え）にかかわらず各利用者にとって最適な空調空気を室内に給気することができるタスク・アンビエント空調システムを提供することにある。本発明の他の目的は、送風装置及び加熱装置を備えた椅子を設置した建造物の室内に給気される空調空気の温度を各椅子の使用状況に応じて変更することができ、室内に設置された椅子の利用者に対して最適なタスク・アンビエント空調を実施することができるタスク・アンビエント空調システムを提供することにある。
【課題を解決するための手段】
【０００８】
前記課題を解決するための本発明の前提は、所定温度の空調空気を室内に給気する空調装置と、室内に設置されて利用者が着座する１つ又は複数の椅子とを備え、それら椅子が、それに着座した利用者に向かって所定風量の空気を送風する送風モードとそれに着座した利用者の臀部と腰部と背中とのうちの少なくとも臀部を暖める暖房モードとのいずれかで運転しているＯＮ状態と、送風モードと暖房モードとのいずれの運転もしていないＯＦＦ状態とを有し、空調装置を利用して室内のタスク域を空調するタスク・アンビエント空調システムである。
【０００９】
前記前提における本発明の特徴としては、タスク・アンビエント空調システムが、ＯＮ状態にある椅子を判断する運転状態判断手段と、運転状態判断手段によってＯＮ状態にある椅子が送風モード又は暖房モードのいずれかのモードであることを検出してアンビエント空調制御目標値を演算するアンビエント空調制御変更演算手段とを有し、タスク・アンビエント空調システムでは、運転状態判断手段とアンビエント空調制御変更演算手段とによって空調装置の設定温度を通常モードで運転する空調装置の設定温度よりも上昇又は低下させるブーストモードで空調装置を運転することにある。
【００１０】
本発明の一例としては、運転状態判断手段が、ＯＮ状態にある椅子の割合が有効割合以上であるかを判断し、アンビエント空調制御変更演算手段が、運転状態判断手段によってＯＮ状態にある椅子の割合が有効割合以上であると判断した場合、送風モードで運転している椅子の出力又は暖房モードで運転している椅子の出力値を平均化した平均出力値が設定出力値以上であるかを判断し、タスク・アンビエント空調システムでは、運転状態判断手段によってＯＮ状態にある椅子の割合が有効割合未満であると判断した場合、又は、アンビエント空調制御変更演算手段によって平均出力値が設定出力値未満であると判断した場合、通常モードで空調装置を運転し、運転状態判断手段によってＯＮ状態にある椅子の割合が有効割合以上であると判断するとともに、アンビエント空調制御変更演算手段によって平均出力値が設定出力値以上であると判断した場合、ブーストモードで該空調装置を運転する。
【００１１】
本発明の他の一例としては、タスク・アンビエント空調システムが、運転状態判断手段とアンビエント空調制御変更演算手段とを実施するとともに、所定のネットワークを介して空調装置の運転を通常モード又はブーストモードに切り替えるアンビエント域空調制御変更手段を含み、椅子を識別可能な識別子が、各椅子毎に付与され、アンビエント域空調制御変更手段が、識別子によってそれら椅子を特定し、椅子が、それに着座した利用者に向かって所定風量の空気を送風する送風装置と、それに着座した利用者の臀部と腰部とのうちの少なくとも臀部を暖める加熱装置と、利用者の着座及び非着座を検知する着座センサと、椅子の送風装置及び加熱装置のＯＮ／ＯＦＦを切り替えるとともに椅子の送風モードと暖房モードとを切り替える切替手段と、椅子の送風装置の出力及び加熱装置の出力を調節する出力調節手段と、椅子の識別子、着座センサが検知した着座状態値、送風装置及び加熱装置のＯＮ／ＯＦＦ状態値、送風装置の出力値又は加熱装置の出力値をネットワークを介してアンビエント域空調制御変更手段に送信する通信手段とを有する。
【００１２】
本発明の他の一例として、冷房期間中における空調装置のブーストモードでの運転では、空調装置の設定温度を通常モードで運転する空調装置の設定温度よりも低下させ、暖房期間中における空調装置のブーストモードでの運転では、空調装置の設定温度を通常モードで運転する空調装置の設定温度よりも上昇させる。
【００１３】
本発明の他の一例として、運転状態判断手段では、利用者が着座した椅子の数を分母とし、利用者が着座した椅子のうちのＯＮ状態にある椅子の数を分子としてＯＮ状態にある椅子の割合を算出し、算出したＯＮ状態にある椅子の割合が有効割合以上であるかを判断する。
【００１４】
本発明の他の一例として、タスク・アンビエント空調システムでは、運転状態判断手段において判断されるＯＮ状態にある椅子の有効割合が７０％〜９０％の範囲で設定され、アンビエント空調制御変更演算手段において判断される平均出力値の設定出力値が最大平均出力値の５０％〜７０％の範囲で設定される。
【００１５】
本発明の他の一例としては、アンビエント域空調制御変更手段が、各椅子に付与された識別子を利用して所定数の椅子を一纏めにした第１椅子グループ〜第ｎ椅子グループにグループ分けし、第１椅子グループ〜第ｎ椅子グループのグループ毎に運転状態判断手段とアンビエント空調制御変更演算手段とを実施し、通常モード又はブーストモードで運転する空調装置から所定温度の空調空気を第１椅子グループ〜第ｎ椅子グループの各グループ毎に給気させる。
【発明の効果】
【００１６】
本発明に係るタスク・アンビエント空調システムによれば、例えば、室内における椅子の利用者が多く、椅子における送風モード又は暖房モードの利用頻度が高く、空調装置の設定温度をあらかじめ設定された設定温度に維持した場合、各利用者が室内の空調環境に不快に感じる状況にある場合、運転状態判断手段とアンビエント空調制御変更演算手段とによって空調装置の設定温度を通常モードで運転する空調装置の設定温度よりも上昇又は低下させるブーストモードで空調装置を運転するから、室内における椅子の利用者に最適な温度の空調空気を給気することができ、建造物の室内において空調エネルギーの削減と利用者の快適さとのバランスのとれた最適なタスク・アンビエント空調を実現することができる。タスク・アンビエント空調システムは、属性（年齢や性別、職場であれば役職の違い等）の異なる各利用者の意識（考え）にかかわらず各利用者にとって最適な空調空気を室内に給気することができ、各利用者が意識的に所定の操作を行う必要はなく、各利用者の手間を省くことができるとともに各利用者の負担をなくすことができる。
【００１７】
運転状態判断手段がＯＮ状態にある椅子の割合が有効割合以上であるかを判断し、アンビエント空調制御変更演算手段が運転状態判断手段によってＯＮ状態にある椅子の割合が有効割合以上であると判断した場合、送風モードで運転している椅子の出力又は暖房モードで運転している椅子の出力値を平均化した平均出力値が設定出力値以上であるかを判断し、運転状態判断手段によってＯＮ状態にある椅子の割合が有効割合未満であると判断した場合、又は、アンビエント空調制御変更演算手段によって平均出力値が設定出力値未満であると判断した場合、空調装置の設定温度をあらかじめ設定された設定温度に維持する通常モードで空調装置を運転し、運転状態判断手段によってＯＮ状態にある椅子の割合が有効割合以上であると判断するとともに、アンビエント空調制御変更演算手段によって平均出力値が設定出力値以上であると判断した場合、空調装置の設定温度を通常モードで運転する空調装置の設定温度よりも上昇又は低下させるブーストモードで該空調装置を運転するタスク・アンビエント空調システムは、ＯＮ状態にある椅子の割合が有効割合未満の場合、室内における椅子の利用者が少なく、空調装置の設定温度をあらかじめ設定された設定温度に維持したとしても、各利用者が不快に感じることはないから、運転状態判断手段によってＯＮ状態にある椅子の割合が有効割合未満であると判断した場合、空調装置の設定温度をあらかじめ設定された設定温度に維持する通常モードで空調装置を運転することで、室内における椅子の利用者に適したタスク・アンビエント空調を実施することができる。タスク・アンビエント空調システムは、送風モードで運転している椅子の出力値又は暖房モードで運転している椅子の出力値を平均化した平均出力値が設定出力値未満の場合、椅子における送風モード又は暖房モードの利用頻度が低く、空調装置の設定温度をあらかじめ設定された設定温度に維持したとしても、各利用者が不快に感じることはないから、アンビエント空調制御変更演算手段によって平均出力が設定出力未満であると判断した場合、空調装置の設定温度をあらかじめ設定された設定温度に維持する通常モードで空調装置を運転することで、室内における椅子の利用者に適したタスク・アンビエント空調を実施することができる。タスク・アンビエント空調システムは、ＯＮ状態にある椅子の割合が有効割合以上であるとともに、送風モードで運転している椅子の出力値又は暖房モードで運転している椅子の出力値を平均化した平均出力値が設定出力値以上である場合、室内における椅子の利用者が多いとともに、椅子における送風モード又は暖房モードの利用頻度が高く、空調装置の設定温度をあらかじめ設定された設定温度に維持した場合、各利用者が室内の空調環境に不快に感じる場合があるが、運転状態判断手段によってＯＮ状態にある椅子の割合が有効割合以上であると判断するとともに、アンビエント空調制御変更演算手段によって平均出力値が設定出力値以上であると判断した場合、空調装置の設定温度を通常モードで運転する空調装置の設定温度よりも上昇又は低下させるブーストモードで該空調装置を運転するから、室内における椅子の利用者に最適な温度の空調空気を給気することができ、椅子の利用頻度や送風モード又は暖房モードの利用頻度、送風モード又は暖房モードの出力値に対応した最適なタスク・アンビエント空調を実現することができる。タスク・アンビエント空調システムは、各利用者の意識（考え）にかかわらず、空調装置の運転モードを通常モード又はブーストモードに自動的に切り替えるから、各利用者の意識（考え）にかかわらず各利用者にとって最適な空調空気を室内に給気することができ、各利用者が意識的に所定の操作を行う必要はなく、各利用者の手間を省くことができるとともに各利用者の負担をなくすことができる。
【００１８】
運転状態判断手段とアンビエント空調制御変更演算手段とを実施するとともに、所定のネットワークを介して空調装置の運転を通常モード又はブーストモードに切り替えるアンビエント域空調制御変更手段を含み、椅子を識別可能な識別子が各椅子毎に付与され、アンビエント域空調制御変更手段が識別子によってそれら椅子を特定し、椅子がそれに着座した利用者に向かって所定風量の空気を送風する送風装置と、それに着座した利用者の臀部と腰部とのうちの少なくとも臀部を暖める加熱装置と、利用者の着座及び非着座を検知する着座センサと、椅子の送風装置及び加熱装置のＯＮ／ＯＦＦを切り替えるとともに椅子の送風モードと暖房モードとを切り替える切替手段と、椅子の送風装置の出力及び加熱装置の出力を調節する出力調節手段と、椅子の識別子、着座センサが検知した着座状態値、送風装置及び加熱装置のＯＮ／ＯＦＦ状態値、送風装置の出力値又は加熱装置の出力値をネットワークを介してアンビエント域空調制御変更手段に送信する通信手段とを有するタスク・アンビエント空調システムは、所定のネットワークを利用してアンビエント域空調制御変更手段や椅子、空調装置が接続されるから、例えば、アンビエント域空調制御変更手段をインターネット上のクラウドに構築することができ、又は、アンビエント域空調制御変更手段や椅子、空調装置をＬＡＮやＷＡＮ等のネットワークによって接続することができ、椅子の着座状態値（椅子に対する着座又は非着座）、送風装置及び加熱装置のＯＮ／ＯＦＦ状態値（送風装置及び加熱装置のＯＮ／ＯＦＦ）、椅子の送風モードの出力値又は暖房モードの出力値をアンビエント域空調制御変更手段がネットワークを介して受信しつつ、空調装置の運転モード（通常モード又はブーストモード）の切り替えをネットワークによる遠隔操作よって自動で行うことができる。タスク・アンビエント空調システムは、椅子の送風モード時に椅子に設置された送風装置から所定風量の空気を利用者に向かって送風し、室内の空調空気を利用者に吹き付けることで、利用者の体温や体感温度を下げることができるとともに、椅子の暖房モード時に椅子に設置された加熱装置によって利用者の臀部と腰部とのうちの少なくとも臀部を暖めることができ、空調装置から給気される空調空気と相まって利用者の体温や体感温度を最適に調節することができる。タスク・アンビエント空調システムは、各椅子を識別可能な識別子が椅子毎に付与され、アンビエント域空調制御変更手段が識別子によって各椅子を特定するから、椅子の着座状態値（椅子に対する着座又は非着座）、送風装置及び加熱装置のＯＮ／ＯＦＦ状態値（送風装置及び加熱装置のＯＮ／ＯＦＦ）、椅子の送風モードの出力値又は暖房モードの出力値を各椅子毎に把握することができ、ＯＮ状態にある椅子の割合が有効割合以上であるかを正確に判断することができるとともに、送風モードで運転している椅子の出力値又は暖房モードで運転している椅子の出力値を平均化した平均出力値が設定出力値以上であるかを正確に判断することができる。タスク・アンビエント空調システムは、識別子によって椅子を特定しつつ、運転状態判断手段やアンビエント空調制御変更演算手段を正確に実施することができるから、室内における椅子の利用者に最適な温度の空調空気を給気することができ、椅子の利用頻度や送風モード又は暖房モードの利用頻度、送風モードの出力又は暖房モードの出力値に対応した最適なタスク・アンビエント空調を実現することができる。タスク・アンビエント空調システムは、各利用者の意識（考え）にかかわらず、アンビエント域空調制御変更手段が空調装置の運転モードをインターネットやＬＡＮ、ＷＡＮ等のネットワークによる遠隔操作よって通常モード又はブーストモードに自動的に切り替えるから、各利用者が意識的に所定の操作を行う必要はなく、各利用者の手間を省くことができるとともに各利用者が負担を感じることがなく、各利用者の意識（考え）にかかわらず各利用者にとって最適な空調空気を室内に給気することができる。タスク・アンビエント空調システムは、椅子が無線ネットワークを介してアンビエント域空調制御変更手段と通信することで、利用者による椅子の自由な移動を妨げることはない。また、椅子が無線ネットワークを介してアンビエント域空調制御変更手段と通信可能であるから、アンビエント域空調制御変更手段の設置位置を自由に設定することができる。更に、例えば、アンビエント域空調制御変更手段をクラウドに設定した場合、建造物のメンテナンス担当者が遠隔地から複数の建造物に構築されたタスク・アンビエント空調システムを一括して管理することができ、複数の建造物においてタスク・アンビエント空調システムの各設定値の変更やプログラムの更新が可能となり、システムの省力化を図ることができる。
【００１９】
冷房期間中における空調装置のブーストモードでの運転において、空調装置の設定温度を通常モードで運転する空調装置の設定温度よりも低下させ、暖房期間中における空調装置のブーストモードでの運転において、空調装置の設定温度を通常モードで運転する空調装置の設定温度よりも上昇させるタスク・アンビエント空調システムは、冷房期間中において、ＯＮ状態にある椅子の割合が有効割合以上であるとともに、送風モードで運転している椅子の出力値を平均化した平均出力値が設定出力値以上である場合、室内の利用者が暑いと感じていると推定され、その場合、空調装置の設定温度を通常モードで運転する空調装置の設定温度よりも低下させることで、送風装置から送風される空気（空調空気）と相まって椅子を利用する利用者の体温を最適に調節することができ、利用者の不快感を取り除くことができる。タスク・アンビエント空調システムは、暖房期間中において、ＯＮ状態にある椅子の割合が有効割合以上であるとともに、暖房モードで運転している椅子の出力値を平均化した平均出力値が設定出力値以上である場合、室内の利用者が寒いと感じていると推定され、その場合、空調装置の設定温度を通常モードで運転する空調装置の設定温度よりも上昇させることで、加熱装置による加熱と相まって利用者の体温を最適に調節することができ、利用者の不快感を取り除くことができる。
【００２０】
運転状態判断手段において、利用者が着座した椅子の数を分母とし、利用者が着座した椅子のうちのＯＮ状態にある椅子の数を分子としてＯＮ状態にある椅子の割合を算出し、算出したＯＮ状態にある椅子の割合が有効割合以上であるかを判断するタスク・アンビエント空調システムは、利用者が着座した椅子に対するＯＮ状態にある椅子の割合が有効割合未満の場合、椅子に着座した利用者の送風モード又は暖房モードの利用頻度が低く、空調装置の設定温度をあらかじめ設定された設定温度に維持したとしても、各利用者が不快に感じることはないから、運転状態判断手段によって利用者が着座した椅子に対するＯＮ状態にある椅子の割合が設定割合未満であると判断した場合、空調装置の設定温度をあらかじめ設定された設定温度に維持する通常モードで空調装置を運転することで、室内における椅子の利用者に適したタスク・アンビエント空調を実施することができる。タスク・アンビエント空調システムは、利用者が着座した椅子に対するＯＮ状態にある椅子の割合が有効割合以上であるとともに、送風モードで運転している椅子の出力値又は暖房モードで運転している椅子の出力値を平均化した平均出力値が設定出力値以上である場合、室内における椅子の利用者が多いとともに、椅子における送風モード又は暖房モードの利用頻度が高く、空調装置の設定温度をあらかじめ設定された設定温度に維持した場合、各利用者が室内の空調環境に不快に感じる場合があるが、運転状態判断手段によって利用者が着座した椅子に対するＯＮ状態にある椅子の割合が有効割合以上であると判断するとともに、アンビエント空調制御変更演算手段によって平均出力値が設定出力値以上であると判断した場合、空調装置の設定温度を通常モードで運転する空調装置の設定温度よりも上昇又は低下させるブーストモードで該空調装置を運転するから、室内における椅子の利用者に最適な温度の空調空気を給気することができ、椅子の利用頻度や送風モード又は暖房モードの利用頻度、送風モード又は暖房モードの出力値に対応した最適なタスク・アンビエント空調を実現することができる。
【００２１】
運転状態判断手段において判断されるＯＮ状態にある椅子の有効割合が７０％〜９０％の範囲で設定され、アンビエント空調制御変更演算手段において判断される平均出力値の設定出力値が最大平均出力値の５０％〜７０％の範囲で設定されるタスク・アンビエント空調システムは、椅子の有効割合を利用者が着座した椅子に対して７０％〜９０％の範囲で設定することで、利用者が着座した椅子に対するＯＮ状態にある椅子の割合が７０％〜９０％未満の場合、椅子に着座した利用者の送風モード又は暖房モードの利用頻度が低く、空調装置の設定温度をあらかじめ設定された設定温度に維持したとしても、各利用者が不快に感じることはないから、運転状態判断手段によって利用者が着座した椅子に対するＯＮ状態にある椅子の割合が７０％〜９０％未満であると判断した場合、空調装置の設定温度をあらかじめ設定された設定温度に維持する通常モードで空調装置を運転することで、室内における椅子の利用者に適したタスク・アンビエント空調を実施することができる。タスク・アンビエント空調システムは、設定出力値を最大平均出力値の５０〜７０％の範囲で設定することで、利用者が着座した椅子に対するＯＮ状態にある椅子の割合が７０％〜９０％以上であるとともに、送風モードで運転している椅子の出力値又は暖房モードで運転している椅子の出力値を平均化した平均出力値が５０％〜７０％以上である場合、室内における椅子の利用者が多いとともに、椅子における送風モード又は暖房モードの利用頻度が高く、空調装置の設定温度をあらかじめ設定された設定温度に維持した場合、各利用者が室内の空調環境に不快に感じる場合があるが、運転状態判断手段によって利用者が着座した椅子に対するＯＮ状態にある椅子の割合が７０％〜９０％以上であると判断するとともに、アンビエント空調制御変更演算手段によって平均出力値が５０％〜７０％以上であると判断した場合、空調装置の設定温度を通常モードで運転する空調装置の設定温度よりも上昇又は低下させるブーストモードで該空調装置を運転するから、室内における椅子の利用者に最適な温度の空調空気を給気することができ、椅子の利用頻度や送風モード又は暖房モードの利用頻度、送風モード又は暖房モードの出力値に対応した最適なタスク・アンビエント空調を実現することができる。
【００２２】
アンビエント域空調制御変更手段が各椅子に付与された識別子を利用して所定数の椅子を一纏めにした第１椅子グループ〜第ｎ椅子グループにグループ分けし、第１椅子グループ〜第ｎ椅子グループのグループ毎に運転状態判断手段とアンビエント空調制御変更演算手段とを実施し、通常モード又はブーストモードで運転する空調装置から所定温度の空調空気を第１椅子グループ〜第ｎ椅子グループの各グループ毎に給気させるタスク・アンビエント空調システムは、多数の椅子が設置された広い室内全体に通常モード又はブーストモードで運転する空調装置から所定温度の空調空気を給気した場合、室内の各箇所における空調温度が異なり、椅子の全ての利用者に最適な空調環境を提供することができない場合があるが、室内に設置された複数の椅子が所定数の椅子を一纏めにした第１椅子グループ〜第ｎ椅子グループにグループ分けされ、通常モード又はブーストモードで運転する空調装置から所定温度の空調空気を各グループ毎に給気することで、広い室内において椅子の利用頻度や送風モード又は暖房モードの利用頻度、送風モード又は暖房モードの出力値に対応したきめ細かい最適なタスク・アンビエント空調を実現することができ、広い室内におけるそれら椅子の利用者に最適な温度の空調空気を給気することができる。タスク・アンビエント空調システムは、アンビエント域空調制御変更手段が各椅子に付与された識別子を利用して各グループを特定するから、椅子の着座状態値（椅子に対する着座又は非着座）、送風装置及び加熱装置のＯＮ／ＯＦＦ状態値（送風装置及び加熱装置のＯＮ／ＯＦＦ）、椅子の送風モードの出力値又は暖房モードの出力値を各グループ毎であって各椅子毎に把握することができ、ＯＮ状態にある椅子の割合が有効割合以上であるかを各グループ毎に正確に判断することができるとともに、送風モードで運転している椅子の出力値又は暖房モードで運転している椅子の出力値を平均化した平均出力値が設定出力値以上であるかを各グループ毎に正確に判断することができる。タスク・アンビエント空調システムは、識別子によって椅子を特定し、識別子を利用して各グループを特定しつつ、運転状態判断手段やアンビエント空調制御変更演算手段を各グループ毎に正確に実施することができるから、室内における椅子の利用者に最適な温度の空調空気を給気することができ、椅子の利用頻度や送風モード又は暖房モードの利用頻度、送風モードの出力又は暖房モードの出力値に対応した最適なタスク・アンビエント空調を実現することができる。
【図面の簡単な説明】
【００２３】
【図１】一例として示すタスク・アンビエント空調システム１０の構成図。
【図２】タスク・アンビエント空調システムのタスク域空調空間を形成する椅子の一例を示す斜視図。
【図３】椅子の側面図。
【図４】タスク・アンビエント空調システムを設置した建造物の室の室内空調方式の一例を示す図。
【図５】タスク・アンビエント空調システムにおいて行われる各手段の一例を示すフローチャート。
【図６】タスク・アンビエント空調システムを設置した建造物の室の室内空調の他の一例を示す上面図。
【図７】タスク・アンビエント空調システムにおいて行われる各手段の他の一例を示すフローチャート。
【発明を実施するための形態】
【００２４】
一例として示すタスク・アンビエント空調システム１０の構成図である図１等の添付の図面を参照し、本発明に係るタスク・アンビエント空調システムの詳細を説明すると、以下のとおりである。なお、図２は、タスク・アンビエント空調システム１０のタスク域空調空間を形成する椅子１４の一例を示す斜視図であり、図３は、椅子１４の側面図である。図４は、タスク・アンビエント空調システム１０を設置した建造物１５の室１６の室内空調方式の一例を示す図である。図４では、無線ＬＡＮルーター１２の図示を省略している。
【００２５】
タスク・アンビエント空調システム１０は、アンビエント域空調制御変更手段１１（制御手段）と、無線ＬＡＮルーター１２（通信装置）と、空調装置１３と、室１６の室内に設置された複数の椅子１４とから形成されている。室１６の室内には、図１に示すように、エアコン用リモコン１７が設置されている。室１６に隣接する機械室１８には、通信中継器（通信プロトコル変換器）１９と終端装置２０（ＯＮＵ）とが設置されている。
【００２６】
アンビエント域空調制御変更手段１１は、図１に示すように、所定のデータセンター（図示せず）に形成されたクラウド２１（クラウドコンピューティング）に構築されている。クラウド２１としては、Infrastructure as a Service（IaaS）、Platform as a Service（PaaS）、Software as a Service（SaaS）を利用することができる。タスク・アンビエント空調システム１０にクラウド２１を利用することで、クラウドサービスプラットフォームからインターネット経由でＩＴリソースをオンデマンドで利用することができる。
【００２７】
アンビエント域空調制御変更手段１１は、中央処理部（仮想ＣＰＵまたは仮想ＭＰＵ）とメモリ（仮想メインメモリおよび仮想キャッシュメモリ）とを有して独立したオペレーティングシステム（仮想ＯＳ）によって動作する仮想サーバであり、大容量仮想記憶領域が生成されている。アンビエント域空調制御変更手段１１のメモリには、タスク・アンビエント空調システム１０の各手段を実施するアプリケーションが記憶（格納）されている。アンビエント域空調制御変更手段１１の大容量仮想記憶領域には、椅子１４の固体番号（識別子）が記憶（格納）されている。
【００２８】
アンビエント域空調制御変更手段１１は、インターネットを介して空調装置１３の運転モードを受信し、インターネットを介して無線ＬＡＮルーター１２からそれら椅子１４の各種情報を受信するとともに、インターネットを介して所定の制御指令（制御信号）を空調装置１３に送信する。アンビエント域空調制御変更手段１１は、運転状態判断手段を実行するとともに、アンビエント空調制御変更演算手段を実行する。アンビエント域空調制御変更手段１１と無線ＬＡＮルーター１２とは、インターネットの他に、ＬＡＮやＷＡＮ等のネットワークによって接続される場合がある。
【００２９】
なお、アンビエント域空調制御変更手段１１が中央処理部（ＣＰＵまたはＭＰＵ）とメモリ（メインメモリおよびキャッシュメモリ）とを有して独立したオペレーティングシステム（ＯＳ）によって動作する物理的なコンピュータ（サーバ）に構築されていてもよい。アンビエント域空調制御変更手段１１が物理的なコンピュータに構築される場合、そのコンピュータは、機械室１８又はデータセンターに設置される。
【００３０】
無線ＬＡＮルーター１２（通信装置）は、建造物１５（例えば、オフィスビルや店舗ビル、多目的ホール、校舎、講堂、図書館、研究所等）の室１６の室内（図１参照）に設置されている。無線ＬＡＮルーター１２は、中央処理部（ＣＰＵまたはＭＰＵ）とメモリ（メインメモリおよびキャッシュメモリ）とを有して独立したオペレーティングシステム（ＯＳ）によって動作する物理的なコンピュータを内蔵している。無線ＬＡＮルーター１２には、複数の通信デバイス（椅子１４）をインターネットを介してアンビエント域空調制御変更手段１１に接続する機能を有し、椅子１４にＩＰアドレスを付与するとともに、不正な進入を遮断するファイアウォールやフィルター等のセキュリティ機能を有する。
【００３１】
利用者又は建造物１５の室１６の管理者は、ウェブブラウザを利用し、無線ＬＡＮルーター１２に通信中継器１９、終端装置４５を通じてインターネット（所定のネットワーク）に接続可能であり、インターネットを利用してアンビエント域空調制御変更手段１１にアクセスかつログインすることができる。無線ＬＡＮルーター１２は、所定の通信手段を利用して椅子１４の制御部と通信可能である。無線ＬＡＮルーター１２は、椅子１４の制御部から送信された各種情報を受信し、椅子１４の制御部から受信した各種情報をインターネットを介してアンビエント域空調制御変更手段１１に送信する。通信手段としては、無線ＬＡＮやBluetooth(登録商標)、WiMAX(ワイマックス)、4G(フォー・ジー)、5G(ファイブ・ジー)等を利用することができる他、今後開発されるあらゆる通信手段を利用することができる。
【００３２】
タスク・アンビエント空調システム１０は、インターネットを介してアンビエント域空調制御変更手段１１から所定の制御指令（制御信号）を受信し、アンビエント域空調制御変更手段１１から受信した制御指令（制御信号）を空調装置１３の制御部（図示せず）に送信する。タスク・アンビエント空調システム１０は、空調装置１３の制御部から送信された運転モードをインターネットを介してアンビエント域空調制御変更手段１１に送信する。
【００３３】
空調装置１３は、建造物１５の室外に設置された室外機２２と、室１６の天井２３に設置された室内機２４とから形成されたヒートポンプ式エアコンである。空調装置１３は、所定温度の空調空気を室１６の室内に給気する。空調装置１３の運転モードは、空調空気の設定温度をあらかじめ設定された設定温度に維持する通常モードと、空調空気の設定温度を通常モードで運転する空調装置１３の設定温度よりも上昇又は低下させるブーストモードとがある。通常モードにおける設定温度は、室内に設置されたエアコン用リモコン１７において設定又は変更することができる。
【００３４】
冷房期間中（例えば、夏期及び中間期）における空調装置１３のブーストモードでの運転では、空調空気の設定温度を通常モードで運転する空調装置１３の設定温度よりも低下（例えば、１〜２℃低下）させる。暖房期間中（例えば、冬期）における空調装置１３のブーストモードでの運転では、空調空気の設定温度を通常モードで運転する空調装置１３の設定温度よりも上昇（例えば、１〜２℃上昇）させる。
【００３５】
図２，３に示すように、椅子１４は、脚部２５と、脚部２５の上端に設置されるボックス状の支基２６と、支基２６の上面に取り付けられた座受部材２７と、座受部材２７に前後方向へスライド可能に取り付けられ座２８と、支基２６の後部から上方へ延びる背もたれ２９とから形成されている。椅子１４は、送風装置３０と、加熱装置３１と、着座センサ３２と、バッテリー（蓄電池）（図示せず）と、ＯＮ／ＯＦＦスイッチ（切替手段）（図示せず）及び切替スイッチ（切替手段）（図示せず）と、出力調節つまみ（出力調節手段）（図示せず）と、制御部（図示せず）とを有する。
【００３６】
椅子１４の制御部は、所定の通信手段によって椅子１４の各種情報を無線ＬＡＮルーター１２に送信可能な通信機能（送信手段）（図示せず）を備えている。それら椅子１４の制御部には、各椅子１４を識別可能な固体番号（識別子）が付与されている。各椅子１４は、それに付与された固体番号（識別子）によって特定（識別）される。
【００３７】
椅子１４の電源供給用ＯＮ／ＯＦＦスイッチ（切替手段）や送風モード／暖房モード切替スイッチ（切替手段）、送風装置３０（送風ファン）及び加熱装置３１（ヒーター）の出力の出力調節つまみ（出力調節手段）は、椅子１４の座２８の側部に設置されている。椅子１４の電源供給用ＯＮ／ＯＦＦスイッチは、送風装置３０及び加熱装置３１の起動又は停止に使用される。送風モード／暖房モード切替スイッチは、送風モード（送風装置３０）又は暖房モード（加熱装置３１）の切替に使用される。送風装置３０（送風ファン）及び加熱装置３１（ヒーター）の出力の出力調節つまみは、送風装置３０の出力（風量）又は加熱装置３１の出力（温度）の調節に使用される。
【００３８】
なお、送風装置３０又は加熱装置３１の出力設定は、弱から強まで５段階（例えば、弱２、弱１、中、強１、強２）で調節可能であるが、弱から強まで６段階以上で調節することもでき、弱から強まで無段階で調節することもできる。バッテリー（蓄電池）は、椅子１４の座２８の後部に着脱可能に設置され、送風装置３０（送風ファン）や加熱装置３１（ヒーター）に電力を供給する。
【００３９】
脚部２５は、先端部にキャスタ３３が取り付けられた多岐脚３４と、多岐脚３４の中央部から上方へ延びる脚柱３５とを有する。脚柱３５には、ガススプリングからなる昇降機構が内蔵されている。支基２６は、脚柱３５の上端部に水平方向へ回転可能に取り付けられている。支基２６には、脚柱３５の昇降調整機構と背もたれ２９の傾動調整機構とが内蔵されている。脚柱３５のガススプリングの操作部は、支基２６の内部の昇降調整機構に連結されている。
【００４０】
背もたれ２９は、略Ｌ字状の支持フレーム３６と、支持フレーム３６の上端部に取り付けられた背もたれ本体３７とを備えている。支持フレーム３６の下端部は、支基２６の内部の傾動調整機構に連結されている。座２８は、硬質樹脂または金属から作られた支持ベース（高強度部位）（図示せず）と、支持ベースの上面側に設置されたクッション部材（図示せず）と、クッション部材の上面の一部に保持される通気性弾性部材（図示せず）と、通気性張材３８とを有する。通気性張材３８は、クッション部材及び通気性弾性部材を被覆する。
【００４１】
送風装置３０は、一対の送風ファン３９と、送風ダクト４０と、吹き出し口４１とから形成されている。送風装置３０は、椅子１４に着座した利用者Ｙに向かって所定風量の空気を送風する。それら送風ファン３９は、座２８を形成する支持ベースの下面に取り付けられている。それら送風ファン３９は、ＯＮ／ＯＦＦスイッチ及び切替つまみ（切替手段）に接続され、バッテリーから供給された電力によって駆動する。送風ダクト４０は、送風ファン３９に連結され、送風ファン３９から座２８の両側部に向かって延びている。吹き出し口４１は、送風ダクト４０の先端部に設置され、送風ファン３９から送風された空気を座２８の上方へ向かって吹き出す。
【００４２】
送風装置３０では、送風ダクト４０を動かして吹き出し口４１の向きを変えることができ、吹き出し口４１の向きを変えることで、送風ファン３９から送風された空気の送風方向を変えることができる。切替スイッチを送風モード（送風装置３０）にし、出力調節つまみで送風装置３０（送風ファン３９）の出力（風量）を調節するとともに、ＯＮ／ＯＦＦスイッチをＯＮにすると、送風ファン３９が起動し、図３に矢印で示すように、椅子１４の座面から送風ファン３９に向かって空気が吸引され、調節された出力（風量）の空気が吹き出し口４１から送風される。なお、ＯＮ／ＯＦＦスイッチをＯＦＦにすると、送風ファン３９（送風装置３０）が停止する。
【００４３】
送風モード時の椅子１４の制御部は、その通信機能によって椅子１４の制御パラメータ値（固体番号（識別子）、着座状態値、送風装置状態値、加熱装置状態値、送風／暖房モード値、送風出力値、加熱出力値）を無線ＬＡＮルーター１２に送信する。
【００４４】
加熱装置３１は、所定面積のヒーターであって、座２８を形成する通気性弾性部材の上面に設置されている。加熱装置３１は、椅子１４に着座した利用者Ｙの臀部を暖める。加熱装置３１（ヒーター）が背もたれ本体３７に設置されていてもよい。この場合、加熱装置３１が椅子１４に着座した利用者Ｙの腰部及び背中を暖める。加熱装置３１は、ＯＮ／ＯＦＦスイッチ及び切替つまみ（切替手段）に接続され、バッテリーから供給された電力によって駆動する。
【００４５】
切替スイッチを暖房モード（加熱装置３１）にし、出力調節つまみで加熱装置３１（ヒーター）の出力（温度）を調節するとともに、ＯＮ／ＯＦＦスイッチをＯＮにすると、加熱装置３１が稼働し、座２８が所定温度に加熱される。なお、ＯＮ／ＯＦＦスイッチをＯＦＦにすると、加熱装置３１が停止する。
【００４６】
暖房モード時の椅子１４の制御部は、送風モード時の椅子１４の制御部と同様の通信方式によって椅子１４の制御パラメータ値を無線ＬＡＮルーター１２に送信する。
【００４７】
着座センサ３２は、通気性張材３８の直下であって通気性弾性部材に設置されている。着座センサ３２には、圧力センサ（感圧式メンブレンセンサ）が使用されているが、静電容量式センサを使用することもできる。着座センサ３２は、利用者Ｙが椅子１４に着座した場合にＯＮになり、着座信号（着座センサＯＮ）を椅子１４の制御部に送信し、利用者Ｙが椅子１４に着座していない場合にＯＦＦになり、非着座信号（着座センサＯＦＦ）を椅子１４の制御部に送信する。椅子１４の制御部は、その通信機能によって椅子１４の制御パラメータ値を無線ＬＡＮルーター１２に送信する。
【００４８】
タスク・アンビエント空調システム１０を設置した建造物１５の室内空調方式の一例は、図１，４に示すように、天井埋込型エアコンである。空調装置１３（室外機２２）で作られた空調空気は、図１，４に矢印で示すように、室内機２４の吹出口から室内に向かって給気される。室内の空気は、室内機２４の室内空気取入口に流入した後、熱交換されて再び吹出口から給気され、室内空気を循環空調する。
【００４９】
タスク・アンビエント空調１０は、図１に示すように、室内をタスク域４２（作業域）とそれ以外のアンビエント域４３（周辺域）とに区画し、タスク域４２に集中して冷暖房を行う空調方式である。タスク域４２に冷暖房を集中して行うことにより、アンビエント域４３の空調負荷を低減することができる。この室内空調では、図４に示すように、空調空気を天井４１の室内機２４から利用者Ｙ（椅子１４）に向かって吹き出すことで利用者Ｙの周囲（タスク域４２）を冷暖房するから、タスク域４２を快適に保つことができるとともに、アンビエント域４３の空調エネルギーの省エネを図りつつ、利用者Ｙが快適に作業することができる。
【００５０】
図５は、タスク・アンビエント空調システム１０において行われる各手段の一例を示すフローチャートである。
【００５１】
タスク・アンビエント空調システム１０を利用する手順の一例は、以下のとおりである。タスク・アンビエント空調システム１０を起動させるには、システムＯＮボタン（図示せず）をタップ（クリック）する。システムＯＮボタンをタップすると、無線ＬＡＮルーター１２がインターネットに接続され、無線ＬＡＮルーター１２がアンビエント域空調制御変更手段１１にアクセスかつログインする。タスク・アンビエント空調システム１０の起動時には、全ての椅子１４に利用者Ｙが着座していない。なお、椅子１４のＯＮ／ＯＦＦスイッチ（切替手段）はＯＦＦになっているものとする。
【００５２】
タスク・アンビエント空調システム１０では、ＯＮ状態の椅子１４の有効割合（設定割合）、送風モード又は暖房モードで運転されている椅子の設定出力値が事前に設定されている。設定された有効割合及び設定された設定出力値は、アンビエント域空調制御変更手段１１のキャッシュメモリに一時的に記憶（格納）される。なお、冷房期間や暖房期間を設定することもできる。また、エアコン用リモコン１７によって室１６の室内の設定温度が設定される。
【００５３】
有効割合（運転モード切替判定値）は、アンビエント域空調制御変更手段１１が実施する運転状態判断手段においてＯＮ状態にある椅子の割合の閾値（境界値）となる割合である。運転状態判断手段では、椅子１４が送風モード（冷房期間中に送風モードＯＮ信号を受信している場合）と暖房モード（暖房期間中に暖房モードＯＮ信号を受信している場合）とのいずれかで運転している場合、椅子１４がＯＮ状態と判断する。ＯＮ状態にある椅子１４の有効割合は、９０％で設定されたものとする。なお、ＯＮ状態にある椅子１４の有効割合は、７０％〜９０％の範囲で設定することができる。
【００５４】
アンビエント域空調制御変更手段１１の運転状態判断手段では、利用者Ｙが着座した椅子１４（着座信号（着座センサＯＮ）を送信している椅子）の数を分母とし、利用者Ｙが着座した椅子１４のうちのＯＮ状態にある椅子１４（送風モードＯＦＦ信号又は暖房モードＯＦＦ信号を送信している椅子１４）の数を分子としてＯＮ状態にある椅子１４の割合を算出し、算出したＯＮ状態にある椅子１４の割合があらかじめ設定された有効割合以上（例えば、９０％以上）であるか又は有効割合未満（例えば、９０％未満）であるかを判断する。この場合、椅子１４に利用者Ｙが着座しているが（着座信号（着座センサＯＮ）を受信しているが）送風モードと暖房モードとのいずれの運転もされていない場合（送風モードＯＦＦ信号又は暖房モードＯＦＦ信号を受信している場合）、椅子１４がＯＦＦ状態にあると判断する。
【００５５】
運転状態判断手段においてアンビエント域空調制御変更手段１１は、冷房期間中（夏期及び中間期）において利用者Ｙが着座した椅子１４が暖房モードで運転されている場合（冷房期間中に暖房モードＯＮ信号を受信している場合）、その椅子１４がＯＦＦ状態であると判断するとともに、その椅子１４を割合算出の分母に算入しない。また、暖房期間中（冬期）において利用者Ｙが着座した椅子１４が送風モードで運転されている場合（暖房期間中に送風モードＯＮ信号を受信している場合）、その椅子１４がＯＦＦ状態であると判断するとともに、その椅子１４を割合算出の分母に算入しない。
【００５６】
設定出力値（運転モード切替判定値）は、アンビエント域空調制御変更手段１１が実施するアンビエント空調制御変更演算手段において送風モードで運転している椅子１４の出力値又は暖房モードで運転している椅子１４の出力値を平均化した平均出力値の閾値（境界値）となる出力値である。アンビエント空調制御変更演算手段において判断される平均出力値の設定出力値は、最大平均出力値の６０％で設定（例えば、送風装置３０又は加熱装置３１の出力値が弱から強まで５段階（例えば、弱２、弱１、中、強１、強２）で調節可能である場合、３段階（中）に設定）されたものとする。なお、設定出力値は、最大平均出力値の５０〜７０％の範囲で設定することができる。アンビエント空調制御変更演算手段では、送風モードで運転している椅子１４の出力値又は暖房モードで運転している椅子１４の出力値を平均化した平均出力値が設定出力値以上であるか又は設定出力値未満であるかを判断する。
【００５７】
設定温度やＯＮ状態の椅子１４の有効割合、設定出力値を設定した後、タスク・アンビエント空調システム１０を起動させる。タスク・アンビエント空調システム１０の起動時では、空調装置１３が通常モードで運転される。アンビエント域空調制御変更手段１１は、通常モード信号（制御指令）をエアコン用リモコン１７に送信する。通常モード信号を受信したエアコン用リモコン１７は、通常モード信号（起動信号）を空調装置１３の制御部に送信する。通常モード信号を受信した空調装置１３の制御部は、通常モードで空調装置１３の運転を開始する。
【００５８】
通常モード運転においてアンビエント域空調制御変更手段１１は、空調装置１３の設定温度をあらかじめ設定された設定温度に維持する。椅子１４に利用者Ｙが着座していない場合、着座センサ３２が非着座信号（着座センサＯＦＦ）（着座状態値）を椅子１４の制御部に送信する。椅子１４の制御部は、その通信機能によって椅子１４の固体番号（識別子）と非着座信号とを無線ＬＡＮルーター１２に送信する。無線ＬＡＮルーター１２は、椅子１４の固体番号（識別子）と非着座信号とをアンビエント域空調制御変更手段１１に送信する。アンビエント域空調制御変更手段１１は、非着座信号（着座センサＯＦＦ）を椅子１４の固体番号（識別子）に関連付けた状態でキャッシュメモリに記憶（格納）する。
【００５９】
利用者Ｙが建造物１５の室１６に入り、所定の作業を行うために椅子１４に着座すると、着座センサ３２がＯＮになり、着座センサ３２が着座信号（着座センサＯＮ）（着座状態値）を椅子１４の制御部に送信する。椅子１４の制御部は、その通信機能によって着座センサ３２がＯＮになった椅子１４の固体番号（識別子）と着座信号（着座センサＯＮ）とを無線ＬＡＮルーター１２に送信する。無線ＬＡＮルーター１２は、椅子１４の制御部から受信した固体番号（識別子）と着座信号（着座センサＯＮ）とをアンビエント域空調制御変更手段１１に送信する。アンビエント域空調制御変更手段１１は、固体番号（識別子）に関連付けた状態でキャッシュメモリに記憶（格納）した非着座信号（着座センサＯＦＦ）を着座信号（着座センサＯＮ）に切り替える。
【００６０】
椅子１４に着座した利用者Ｙが冷房期間において切替スイッチを送風モード（送風装置）にし、又は、椅子１４に着座した利用者Ｙが暖房期間において切替スイッチを暖房モード（加熱装置３１）にし、出力調節つまみを回して送風装置３０の出力（風量）又は加熱装置２８の出力（温度）を弱２（２０％）、弱１（４０％）、中（６０％）、強１（８０％）、強２（１００％）のいずれかに設定するとともに、椅子１４のＯＮ／ＯＦＦスイッチ（切替手段）をＯＮにする。椅子１４のＯＮ／ＯＦＦスイッチがＯＮになると、送風装置３０が起動し、送風ファン３９から送風された空気が吹き出し口４１から利用者Ｙに向かって送風され、又は、加熱装置２８（ヒーター）が起動し、椅子１４の座２５が暖められる。
【００６１】
椅子１４の制御部は、ＯＮ／ＯＦＦスイッチ（切替手段）がＯＮになった椅子１４の固体番号（識別子）を無線ＬＡＮルーター１２に送信し、送風装置３０の送風モードＯＮ信号（ＯＮ／ＯＦＦ状態値）又は加熱装置２８（ヒーター）の暖房モードＯＮ信号（ＯＮ／ＯＦＦ状態値）を無線ＬＡＮルーター１２に送信するとともに、送風ファン３９（送風装置３０）の送風モード出力信号（送風装置３０の出力（弱２（２０％）、弱１（４０％）、中（６０％）、強１（８０％）、強２（１００％）のいずれか））（送風装置３０の出力値）又は加熱装置２８の暖房モード出力信号（加熱装置の出力（弱２（２０％）、弱１（４０％）、中（６０％）、強１（８０％）、強２（１００％）のいずれか））（加熱装置２７の出力値）を無線ＬＡＮルーター１２に送信する。
【００６２】
無線ＬＡＮルーター１２は、椅子１４の制御部から受信した固体番号（識別子）、送風モードＯＮ信号、送風モード出力信号又は椅子１４の制御部から受信した固体番号（識別子）、暖房モードＯＮ信号、暖房モード出力信号をアンビエント域空調制御変更手段１１に送信する。アンビエント域空調制御変更手段１１は、無線ＬＡＮルーター１２から受信した送風モードＯＮ信号及び送風モード出力信号を固体番号（識別子）に関連付けた状態でキャッシュメモリに記憶（格納）し、又は、通信装置１２から受信した暖房モードＯＮ信号及び暖房モード出力信号を固体番号（識別子）に関連付けた状態でキャッシュメモリに記憶（格納）する。
【００６３】
利用者Ｙが椅子１４から立ち上がると、着座センサ３２がＯＦＦになり、着座センサ３２が非着座信号（着座センサＯＦＦ）（着座状態値）を椅子１４の制御部に送信する。椅子１４の制御部は、着座センサ３２がＯＦＦになった椅子１４の固体番号（識別子）と非着座信号（着座センサＯＦＦ）とを無線ＬＡＮルーター１２に送信する。無線ＬＡＮルーター１２は、椅子１４の制御部から受信した固体番号（識別子）と非着座信号（着座センサＯＦＦ）とをアンビエント域空調制御変更手段１１に送信する。
【００６４】
アンビエント域空調制御変更手段１１は、固体番号（識別子）と非着座信号（着座センサＯＦＦ）とを受信すると、その固体番号（識別子）に対応した椅子１４の着座信号（着座センサＯＮ）を非着座信号（着座センサＯＦＦ）に切り替え、その固体番号（識別子）に対応した椅子１４の送風装置３０の出力値又は椅子１４の加熱装置２８の出力値を０にするとともに、その固体番号（識別子）と送風装置停止信号（送風装置ＯＦＦ信号）又は加熱装置停止信号（加熱装置ＯＦＦ信号）とを無線ＬＡＮルーター１２に送信する。
【００６５】
アンビエント域空調制御変更手段１１から固体番号（識別子）と送風装置停止信号（送風装置ＯＦＦ信号）又は加熱装置停止信号（加熱装置ＯＦＦ信号）とを受信した無線ＬＡＮルーター１２は、その固体番号（識別子）に対応する椅子１４の制御部に送風装置停止信号又は加熱装置停止信号を送信する。送風装置停止信号又は加熱装置停止信号を受信した椅子１４の制御部は、送風装置３０（送風ファン３９）を停止し、又は、加熱装置３１（ヒーター）を停止する。
【００６６】
送風装置３０又は加熱装置３１（ヒーター）が停止した椅子１４に利用者Ｙが再び着座した場合、送風装置３０（送風ファン３９）が再び起動し、又は、加熱装置２８が再び起動するとともに、既述のように、椅子１４の固体番号（識別子）、送風モードＯＮ信号、送風モード出力信号又は椅子１４の固体番号（識別子）、暖房モードＯＮ信号、暖房モード出力信号が無線ＬＡＮルーター１２からアンビエント域空調制御変更手段１１に送信される。なお、アンビエント域空調制御変更手段１１は、冷房期間中（夏期及び中間期）において椅子１４が暖房モードで運転されている場合（冷房期間中に暖房モードＯＮ信号を受信している場合）、その椅子１４がＯＦＦ状態であると判断する。また、暖房期間中（冬期）において椅子１４が送風モードで運転されている場合（暖房期間中に送風モードＯＮ信号を受信している場合）、その椅子１４がＯＦＦ状態であると判断する。
【００６７】
椅子１４が送風モード又は暖房モードで運転中に利用者Ｙが椅子１４のＯＮ／ＯＦＦスイッチ（切替手段）をＯＮからＯＦＦに切り替えた場合、送風装置３０（送風ファン３９）又は加熱装置３１（ヒーター）が停止する。椅子１４の制御部は、ＯＮ／ＯＦＦスイッチがＯＦＦになった椅子１４の固体番号（識別子）と送風装置３０の送風モードＯＦＦ信号（ＯＮ／ＯＦＦ状態値）又は加熱装置２８の暖房モードＯＦＦ信号（ＯＮ／ＯＦＦ状態値）とを無線ＬＡＮルーター１２に送信する。無線ＬＡＮルーター１２は、椅子１４の制御部から受信した固体番号（識別子）と送風モードＯＦＦ信号又は暖房モードＯＦＦ信号とをアンビエント域空調制御変更手段１１に送信する。
【００６８】
アンビエント域空調制御変更手段１１は、固体番号（識別子）と送風モードＯＦＦ信号又は暖房モードＯＦＦ信号とを受信すると、その固体番号（識別子）に対応した椅子１４の送風モードＯＮを送風モードＯＦＦに切り替え、その固体番号（識別子）に対応した椅子１４の送風装置３０の出力値を０にし、又は、その固体番号（識別子）に対応した椅子１４の暖房モードＯＮを暖房モードＯＦＦに切り替え、その固体番号（識別子）に対応した椅子１４の加熱装置３１の出力値を０にする。なお、ＯＮ／ＯＦＦスイッチがＯＦＦから再びＯＮに切り替わった場合、送風装置３０（送風ファン３９）又は加熱装置３１（ヒーター）が再び起動するとともに、既述のように、椅子１４の固体番号（識別子）、送風モードＯＮ信号、送風モード出力信号又は椅子１４の固体番号（識別子）、暖房モードＯＮ信号、暖房モード出力信号が無線ＬＡＮルーター１２からアンビエント域空調制御変更手段１１に送信される。
【００６９】
利用者Ｙが椅子１４に着座した場合、アンビエント域空調制御変更手段１１（クラウド１５に構築された仮想サーバ又は機械室１８に設置された物理的なコンピュータ）は、ＯＮ状態にある椅子１４の割合（Ｂ／Ａ×１００）が有効割合以上（Ｂ／Ａ×１００≧有効割合）であるか又は有効割合未満（Ｂ／Ａ×１００＜有効割合）であるかを判断する（運転状態判断手段）（Ｓ−１）。Ａは、室１６の内部に設置された全ての椅子１４のうちの利用者Ｙが着座した椅子１４（着座信号（着座センサＯＮ）を送信している椅子１４）の数であり、Ｂは、利用者Ｙが着座した椅子１４のうちのＯＮ状態にある椅子１４（送風モードＯＦＦ信号又は暖房モードＯＦＦ信号を送信している椅子１４）の数である。
【００７０】
アンビエント域空調制御変更手段１１は、図５に示すように、ステップ１（Ｓ−１）の運転状態判断手段において、ＯＮ状態にある椅子１４（送風モード又は暖房モードで運転している椅子１４）の割合が有効割合未満（Ｂ／Ａ×１００＜有効割合）であると判断した場合、空調装置１３の設定温度（空調装置１３から給気する空調空気の温度）をあらかじめ設定された設定温度に維持する通常モードで空調装置１３を運転する（Ｓ−２）。アンビエント域空調制御変更手段１１は、通常モード信号（制御指令）を空調装置１３の制御部に送信する。通常モード信号を受信した空調装置１３の制御部は、空調装置１３の通常モード運転を継続する。
【００７１】
アンビエント域空調制御変更手段１１は、タスク・アンビエント空調システム１０を終了するかを判断する（Ｓ−３）。タスク・アンビエント空調システム１０を終了する場合、アンビエント域空調制御変更手段１１が停止する。ステップ３（Ｓ−３）において、タスク・アンビエント空調システム１０の利用を継続する場合、アンビエント域空調制御変更手段１１は、ステップ１（Ｓ−１）に戻って運転状態判断手段を実施する。
【００７２】
ステップ１（Ｓ−１）の運転状態判断手段において、ＯＮ状態にある椅子１４の割合が有効割合以上（Ｂ／Ａ×１００≧有効割合）であると判断した場合、アンビエント域空調制御変更手段１１は、ＯＮ状態にあるそれら椅子１４の送風モードで運転している椅子１４の出力値又は暖房モードで運転している椅子１４の出力値を平均化した平均出力値が設定出力値以上（Ｃ≧設定出力値）であるか又は設定出力値未満（Ｃ＜設定出力値）であるかを判断する（アンビエント空調制御変更演算手段）（平均出力判断手段）（Ｓ−４）。Ｃは、平均出力値（総出力（５段階の場合、椅子毎に５段階を積算した総数）／ＯＮ状態にある椅子１４の数）である。
【００７３】
アンビエント域空調制御変更手段１１は、ステップ４（Ｓ−４）のアンビエント空調制御変更演算手段において、平均出力値が設定出力値未満（Ｃ＜設定出力値）であると判断した場合、空調装置１３の設定温度をあらかじめ設定された設定温度に維持する通常モードで空調装置１３を運転する（Ｓ−２）。アンビエント域空調制御変更手段１１は、通常モード信号（制御指令）を空調装置１３の制御部に送信する。空調装置１３の制御部は、空調装置１３の通常モード運転を継続する。
【００７４】
ステップ３（Ｓ−３）において、通常モード運転を継続中にタスク・アンビエント空調システム１０を終了する場合、アンビエント域空調制御変更手段１１が停止する。ステップ３（Ｓ−３）において、タスク・アンビエント空調システム１０の利用を継続する場合、アンビエント域空調制御変更手段１１は、通常モード運転を継続しつつ、ステップ１（Ｓ−１）に戻って運転状態判断手段を実施する。
【００７５】
ステップ１（Ｓ−１）の運転状態判断手段において、ＯＮ状態にある椅子１４の割合が有効割合以上（Ｂ／Ａ×１００≧有効割合）であると判断するとともに、ステップ４（Ｓ−４）のアンビエント空調制御変更演算手段において、平均出力値が設定出力値以上（Ｃ≧設定出力値）であると判断した場合、アンビエント域空調制御変更手段１１は、空調装置１３の設定温度（空調装置１３から給気する空調空気の温度）をあらかじめ設定された設定温度よりも上昇又は低下させるブーストモードで空調装置を運転する（Ｓ−５）。
【００７６】
アンビエント域空調制御変更手段１１は、ブーストモード信号（制御指令）を空調装置１３の制御部に送信する。ブーストモード信号を受信した空調装置１３の制御部は、空調装置１３を通常モードからブーストモードに切り替え、ブーストモードで空調装置１３を運転する。ブーストモードでは、冷房期間中において空調装置１３の設定温度（空調装置１３から給気する空調空気の温度）をあらかじめ設定された設定温度よりも１〜２℃低下させ、暖房期間中において空調装置１３の設定温度（空調装置１３から給気する空調空気の温度）をあらかじめ設定された設定温度よりも１〜２℃上昇させる。
【００７７】
ステップ３（Ｓ−３）において、ブーストモード運転を継続中にタスク・アンビエント空調システム１０を終了する場合、アンビエント域空調制御変更手段１１が停止する。ステップ３（Ｓ−３）において、タスク・アンビエント空調システム１０の利用を継続する場合、アンビエント域空調制御変更手段１１は、ブーストモード運転を継続しつつ、ステップ１（Ｓ−１）に戻って運転状態判断手段を実施する。
【００７８】
アンビエント域空調制御変更手段１１は、空調装置１３のブーストモードでの運転中に、ステップ１（Ｓ−１）に戻ってＯＮ状態にある椅子１４の割合が有効割合未満であると判断した場合、又は、ステップ１（Ｓ−１）においてＯＮ状態にある椅子１４の割合が有効割合以上であると判断するとともに、ステップ４（Ｓ−４）のアンビエント空調制御変更演算手段において、平均出力値が設定出力値未満であると判断した場合、ブーストモードから通常モードに切り替え、通常モードで空調装置１３を運転する。
【００７９】
なお、アンビエント域空調制御変更手段１１は、所定の人工知能アルゴリズムを利用し、又は、プリセット情報による制御指示内容を利用し、ＯＮ状態にある椅子を判断する運転状態判断手段と、運転状態判断手段によってＯＮ状態にある椅子が送風モード又は暖房モードのいずれかのモードであることを検出してアンビエント空調制御目標値を演算するアンビエント空調制御変更演算手段とを実施し、空調装置を通常モードで運転し、又は、空調装置の設定温度を通常モードで運転する空調装置の設定温度よりも上昇又は低下させるブーストモードで空調装置を運転する場合もある。
【００８０】
タスク・アンビエント空調システム１０は、ＯＮ状態にある椅子１４（送風モード又は暖房モードで運転している椅子１４）の割合が有効割合未満（Ｂ／Ａ×１００＜有効割合）の場合、室１６の室内における送風モード又は暖房モードで運転している椅子１４の利用者Ｙが少なく、空調装置１３の設定温度をあらかじめ設定された設定温度に維持したとしても、各利用者Ｙが不快に感じることはないから、アンビエント域空調制御変更手段１１が運転状態判断手段によってＯＮ状態にある椅子１４の割合が有効割合未満であると判断した場合、空調装置１３の設定温度をあらかじめ設定された設定温度に維持する通常モードで空調装置１３を運転することで、室内における椅子１４の利用者Ｙに適したタスク・アンビエント空調を実施することができる。
【００８１】
タスク・アンビエント空調システム１０は、送風モードで運転している椅子１４の出力値又は暖房モードで運転している椅子１４の出力値を平均化した平均出力値が設定出力値未満（Ｃ＜設定出力値）の場合、椅子１４における送風モード又は暖房モードの利用頻度が低く、空調装置１３の設定温度をあらかじめ設定された設定温度に維持したとしても、各利用者Ｙが不快に感じることはないから、アンビエント域空調制御変更手段１１がアンビエント空調制御変更演算手段によって平均出力値が設定出力値未満であると判断した場合、空調装置１３の設定温度をあらかじめ設定された設定温度に維持する通常モードで空調装置１３を運転することで、室内における椅子１４の利用者Ｙに適したタスク・アンビエント空調を実施することができる。
【００８２】
タスク・アンビエント空調システム１０は、ＯＮ状態にある椅子１４の割合が有効割合以上（Ｂ／Ａ×１００≧有効割合）であるとともに、送風モードで運転している椅子１４の出力値を平均化した平均出力値が設定出力値以上（Ｃ≧設定出力値）である場合、室１６の室内における送風モードで運転している椅子１４の利用者Ｙが多いとともに、椅子１４における送風モードの利用頻度が高く、空調装置１３の設定温度をあらかじめ設定された設定温度に維持した場合、室内の利用者Ｙが暑いと感じていると推定され、各利用者Ｙが室内の空調環境に不快に感じる場合があるが、アンビエント域空調制御変更手段１１が運転状態判断手段によってＯＮ状態にある椅子１４の割合が有効割合以上であると判断するとともに、アンビエント空調制御変更演算手段によって平均出力値が設定出力値以上であると判断した場合、空調装置１３の設定温度を通常モードで運転する空調装置１３の設定温度よりも低下（例えば、設定温度（空調装置１３から給気する空調空気の温度）をあらかじめ設定された設定温度よりも１〜２℃低下）させるブーストモードで空調装置１３を運転するから、室内における椅子１４の利用者Ｙに最適な温度の空調空気を給気することができ、椅子１４の利用頻度や送風モードの利用頻度、送風モードの出力値に対応した最適なタスク・アンビエント空調を実現することができる。
【００８３】
タスク・アンビエント空調システム１０は、ＯＮ状態にある椅子１４の割合が有効割合以上（Ｂ／Ａ×１００≧有効割合）であるとともに、暖房モードで運転している椅子１４の出力値を平均化した平均出力値が設定出力値以上（Ｃ≧設定出力値）である場合、室１６の室内における暖房モードで運転している椅子１４の利用者が多いとともに、椅子１４における暖房モードの利用頻度が高く、空調装置１３の設定温度をあらかじめ設定された設定温度に維持した場合、室内の利用者Ｙが寒いと感じていると推定され、各利用者Ｙが室内の空調環境に不快に感じる場合があるが、アンビエント域空調制御変更手段１１が運転状態判断手段によってＯＮ状態にある椅子１４の割合が有効割合以上であると判断するとともに、アンビエント空調制御変更演算手段によって平均出力値が設定出力値以上であると判断した場合、空調装置１３の設定温度を通常モードで運転する空調装置１３の設定温度よりも上昇（例えば、空調装置１３の設定温度（空調装置１３から給気する空調空気の温度）をあらかじめ設定された設定温度よりも１〜２℃上昇）させるブーストモードで空調装置１３を運転するから、室内における椅子１４の利用者Ｙに最適な温度の空調空気を給気することができ、椅子１４の利用頻度や暖房モードの利用頻度、暖房モードの出力値に対応した最適なタスク・アンビエント空調を実現することができる。
【００８４】
タスク・アンビエント空調システム１０は、インターネットやＬＡＮ、ＷＡＮ等のネットワークを利用してアンビエント域空調制御変更手段１１や椅子１４、空調装置１３が接続されるから、例えば、アンビエント域空調制御変更手段１１をインターネット上のクラウド２１に構築することができ、椅子１４の着座状態値（椅子１４に対する着座又は非着座）、送風装置３０及び加熱装置３１のＯＮ／ＯＦＦ状態値（送風装置３０及び加熱装置３１のＯＮ／ＯＦＦ）、椅子１４の送風モードの出力値又は暖房モードの出力値をアンビエント域空調制御変更手段１１がネットワークを介して受信しつつ、空調装置１３の運転モード（通常モード又はブーストモード）の切り替えをネットワークによる遠隔操作よって自動で行うことができる。
【００８５】
タスク・アンビエント空調システム１０は、椅子１４の送風モード時に椅子１４に設置された送風装置３０から所定風量の空気を利用者Ｙに向かって送風し、室１６の内部の空調空気を利用者Ｙに吹き付けることで、利用者Ｙの体温や体感温度を下げることができるとともに、椅子１４の暖房モード時に椅子１４に設置された加熱装置３１によって利用者の臀部と腰部とのうちの少なくとも臀部を暖めることができ、空調装置１３から給気される空調空気と相まって利用者の体温や体感温度を最適に調節することができる。
【００８６】
タスク・アンビエント空調システム１０は、各椅子１４を識別可能な固体番号（識別子）が椅子１４毎に付与され、アンビエント域空調制御変更手段１１が固体番号によって各椅子１４を特定するから、椅子１４の着座状態値（椅子１４に対する着座又は非着座）、送風装置３０及び加熱装置３１のＯＮ／ＯＦＦ状態値（送風装置３０及び加熱装置３１のＯＮ／ＯＦＦ）、椅子１４の送風モードの出力値又は暖房モードの出力値を各椅子１４毎に把握することができ、ＯＮ状態にある椅子１４の割合が有効割合以上であるか又は有効割合未満であるかを正確に判断することができるとともに、送風モードで運転している椅子１４の出力値又は暖房モードで運転している椅子１４の出力値を平均化した平均出力値が設定出力値以上であるか又は設定出力値未満であるかを正確に判断することができる。
【００８７】
タスク・アンビエント空調システム１０は、属性（年齢や性別、職場であれば役職の違い等）の異なる各利用者Ｙの意識（考え）にかかわらず、アンビエント域空調制御変更手段１１が空調装置１３の運転モードをインターネットやＬＡＮ、ＷＡＮ等のネットワークによる遠隔操作よって通常モード又はブーストモードに自動的に切り替えるから、各利用者Ｙが意識的に所定の操作を行う必要はなく、各利用者Ｙの手間を省くことができるとともに各利用者Ｙが負担を感じることがなく、各利用者Ｙの意識（考え）にかかわらず各利用者Ｙにとって最適な空調空気を室１６の室内に給気することができる。
【００８８】
タスク・アンビエント空調システム１０は、椅子１４がインターネット（無線ネットワーク）を介してアンビエント域空調制御変更手段１１と通信することで、利用者Ｙによる椅子１４の自由な移動を妨げることはない。また、椅子１４がインターネットを介してアンビエント域空調制御変更手段１１と通信可能であるから、アンビエント域空調制御変更手段１１の設置位置を自由に設定することができる。更に、例えば、アンビエント域空調制御変更手段１１をクラウド２１に設定した場合、建造物１５の管理者（メンテナンス担当者）が遠隔地から複数の建造物１５に構築されたタスク・アンビエント空調システム１０を一括して管理することができ、複数の建造物１５においてタスク・アンビエント空調システム１０の各設定値の変更やプログラムの更新が可能となり、システム１０の省力化を図ることができる。
【００８９】
図６は、タスク・アンビエント空調システム１０を設置した建造物１５の室１６の室内空調の他の一例を示す上面図であり、図７は、タスク・アンビエント空調システム１０において行われる各手段の他の一例を示すフローチャートである。図６では、無線ＬＡＮルーター１２の図示を省略し、通信中継器２２（通信プロトコル変換器）１９及びディスプレイ２０（タッチパネル）並びに終端装置４５（ＯＮＵ）が設置された機械室１８の図示を省略している。
【００９０】
空調装置１３は、室外機２２と複数台の室内機２４ａ〜２４ｃとから形成されたヒートポンプ式エアコンである。図６に示す室１６の室内空調は、天井埋込型エアコンであり、室１６の天井に４つの室内機２４ａ〜２４ｄが設置されている。それら室内機２４ａ〜２４ｄは、送風ダクト４４ａ〜４４ｄを介して空調装置１３に接続されている。アンビエント域空調制御変更手段１１は、室１６の室内に設置されたそれら椅子１４に付与された固体番号（識別子）を利用し、所定数の椅子１４（６個の椅子１４）を一纏めにした第１椅子グループＧ１〜第４椅子グループＧ４（第１椅子グループ〜第ｎ椅子グループ）にグループ分けしている。
【００９１】
なお、図６では、第１椅子グループＧ１〜第４椅子グループＧ４を図示しているが、椅子１４のグループの数に特に制限はなく、５つ以上のグループにグループ分けすることができる。アンビエント域空調制御変更手段１１の大容量仮想記憶領域には、それら椅子１４の固体番号（識別子）が記憶（格納）されているとともに、各グループＧ１〜Ｇ４を形成する椅子１４の各固体番号（識別子）がそれらグループＧ１〜Ｇ４を識別するグループ識別子に関連付けられた状態で記憶（格納）されている。
【００９２】
アンビエント域空調制御変更手段１１の大容量仮想記憶領域には、設定温度及びＯＮ状態の椅子１４の有効割合並びに設定出力値が記憶（格納）され、冷房期間（夏期及び中間期、例えば、４月〜１１月）及び暖房期間（冬期例えば、１２月〜３月）が記憶（格納）されている。アンビエント域空調制御変更手段１１は、椅子１４に付与された固体番号（識別子）によってそれら椅子１４を特定するとともに第１〜第４グループＧ１〜Ｇ４（第１椅子グループ〜第ｎ椅子グループ）を特定する。アンビエント域空調制御変更手段１１は、各第１〜第４椅子グループＧ１〜Ｇ４毎に運転状態判断手段とアンビエント空調制御変更演算手段とを実施し、通常モード又はブーストモードで運転する空調装置１３から所定温度の空調空気を各第１〜第４椅子グループＧ１〜Ｇ４毎に給気させる。
【００９３】
タスク・アンビエント空調システム１０では、ディスプレイ２０を利用して椅子１４をグループ分けすることができる。ディスプレイ２０において各グループを形成する椅子１４の固体番号（識別子）をグループ毎に纏めて入力する。アンビエント域空調制御変更手段１１は、グループ毎に入力された椅子１４の固体番号（識別子）によって所定数の椅子１４を一纏めにしてグループ分けし（Ｓ−１０）、グループ毎に入力された椅子の固体番号（識別子）をグループ識別子に関連付けた状態で大容量仮想記憶領域に記憶（格納）する。なお、グループを形成する椅子１４を何時でも自由に入れ替えることができ、グループ数を増減することができるとともに、グループを再編することができる。
【００９４】
図７に示すように、各グループＧ１〜Ｇ４毎に利用者Ｙが椅子１４に着座した場合、アンビエント域空調制御変更手段１１は、ＯＮ状態にある椅子１４の割合（Ｂ／Ａ×１００）が有効割合（設定割合）以上（Ｂ／Ａ×１００≧有効割合）であるか又は有効割合未満（Ｂ／Ａ×１００＜有効割合）であるかを各グループＧ１〜Ｇ４毎に判断する（運転状態判断手段）（Ｓ−１１ａ〜Ｓ−１１ｄ）。
【００９５】
アンビエント域空調制御変更手段１１は、ステップ１１ａ〜１１ｄ（Ｓ−１１ａ〜Ｓ−１１ｄ）の運転状態判断手段において、ＯＮ状態にある椅子１４（送風モード又は暖房モードで運転している椅子１４）の割合が有効割合未満（Ｂ／Ａ×１００＜有効割合）であると判断した場合、空調装置１３の設定温度（空調装置１３から給気する空調空気の温度）をあらかじめ設定された設定温度に維持する通常モードで空調装置１３を運転する（Ｓ−１２ａ〜Ｓ−１２ｄ）。アンビエント域空調制御変更手段１１は、通常モード信号（制御指令）を空調装置１３の制御部に送信する。通常モード信号を受信した空調装置１３の制御部は、通常モード運転を各グループＧ１〜Ｇ４毎に継続する。
【００９６】
ステップ１１ａ〜１１ｄ（Ｓ−１１ａ〜Ｓ−１１ｄ）の運転状態判断手段において、ＯＮ状態にある椅子１４の割合が有効割合以上（Ｂ／Ａ×１００≧有効割合）であると判断した場合、アンビエント域空調制御変更手段１１は、ＯＮ状態にあるそれら椅子１４の送風モードで運転している椅子１４の出力値又は暖房モードで運転している椅子１４の出力値を平均化した平均出力値が設定出力値以上（Ｃ≧設定出力値）であるか又は設定出力値未満（Ｃ＜設定出力値）であるかを各グループＧ１〜Ｇ４毎に判断する（アンビエント空調制御変更演算手段）（平均出力判断手段）（Ｓ−１４ａ〜Ｓ−１４ｄ）。
【００９７】
アンビエント域空調制御変更手段１１は、ステップ１４ａ〜１４ｄ（Ｓ−１４ａ〜Ｓ−１４ｄ）のアンビエント空調制御変更演算手段において、各グループＧ１〜Ｇ４毎の平均出力値が設定出力値未満（Ｃ＜設定出力値）であると判断した場合、空調装置１３の設定温度をあらかじめ設定された設定温度に維持する通常モードで空調装置１３を運転する（Ｓ−１２ａ〜Ｓ−１２ｄ）。アンビエント域空調制御変更手段１１は、通常モード信号（制御指令）を空調装置１３の制御部に送信する。通常モード信号を受信した空調装置１３の制御部は、空調装置１３の通常モード運転を各グループＧ１〜Ｇ４毎に継続する。
【００９８】
ステップ１１ａ〜１１ｄ（Ｓ−１１ａ〜Ｓ−１１ｄ）の運転状態判断手段において、ＯＮ状態にある椅子１４の割合が有効割合以上（Ｂ／Ａ×１００≧有効割合）であると判断するとともに、ステップ１４ａ〜１４ｄ（Ｓ−１４ａ〜Ｓ−１４ｄ）のアンビエント空調制御変更演算手段において、平均出力値が設定出力値以上（Ｃ≧設定出力値）であると判断した場合、アンビエント域空調制御変更手段１１は、空調装置１３の設定温度（空調装置１３から給気する空調空気の温度）をあらかじめ設定された設定温度よりも上昇又は低下させるブーストモードで空調装置を運転する（Ｓ−１５ａ〜Ｓ−１５ｄ）。
【００９９】
なお、例えば、第１及び第２グループＧ１，Ｇ２における運転状態判断手段において、ＯＮ状態にある椅子１４の割合が有効割合未満（Ｂ／Ａ×１００＜有効割合）であると判断し、又は、第１及び第２グループＧ１，Ｇ２におけるアンビエント空調制御変更演算手段において、平均出力値が設定出力値未満（Ｃ＜設定出力値）であると判断した場合、第１及び第２グループＧ１，Ｇ２において空調装置１３を通常モードで運転する（Ｓ−１２ａ，Ｓ−１２ｂ）。
【０１００】
第３及び第４グループＧ３，Ｇ４における運転状態判断手段において、ＯＮ状態にある椅子１４の割合が有効割合以上（Ｂ／Ａ×１００≧有効割合）であると判断するとともに、第３及び第４グループＧ３，Ｇ４におけるアンビエント空調制御変更演算手段において、平均出力値が設定出力値以上（Ｃ≧設定出力値）であると判断した場合、第３及び第４グループＧ３，Ｇ４において空調装置１３をブーストモードで運転する（Ｓ−１５ｃ，Ｓ−１５ｄ）。
【０１０１】
したがって、第１〜第４グループＧ１〜Ｇ４の全てにおいて通常モード運転が行われ、第１〜第４グループＧ１〜Ｇ４の全てにおいてブーストモード運転が行われる他、第１〜第４グループＧ１〜Ｇ４のうちの少なくとも１つのグループにおいて通常モード運転が行われ、第１〜第４グループＧ１〜Ｇ４のうちの少なくとも１つのグループにおいてブーストモード運転が行われる場合がある。
【０１０２】
アンビエント域空調制御変更手段１１は、通常モード運転を継続中やブーストモード運転を継続中にタスク・アンビエント空調システム１０を終了するかを判断する（Ｓ−１３ａ〜Ｓ−１３ｄ）。ステップ１３ａ〜１３ｄ（Ｓ−１３ａ〜Ｓ−１３ｄ）において、タスク・アンビエント空調システム１０を終了する場合、アンビエント域空調制御変更手段１１が停止する。ステップ１３ａ〜１３ｄ（Ｓ−１３ａ〜Ｓ−１３ｄ）において、タスク・アンビエント空調システム１０の利用を継続する場合、アンビエント域空調制御変更手段１１は、通常モード運転を継続しつつ、又は、ブーストモード運転を継続しつつ、ステップ１１ａ〜１１ｄ（Ｓ−１１ａ〜Ｓ−１１ｄ）に戻って各グループＧ１〜Ｇ４毎に運転状態判断手段を実施する。
【０１０３】
タスク・アンビエント空調システム１０は、多数の椅子１４が設置された広い室１６の室内全体に通常モード又はブーストモードで運転する空調装置１３から所定温度の空調空気を給気した場合、室内の各箇所における空調温度が異なり、椅子１４の全ての利用者Ｙに最適な空調環境を提供することができない場合があるが、室１６の室内に設置された複数の椅子１４が所定数の椅子１４を一纏めにした第１椅子グループＧ１〜第４椅子グループＧ４（第１椅子グループ〜第ｎ椅子グループ）にグループ分けされ、通常モード又はブーストモードで運転する空調装置１３から所定温度の空調空気を各グループＧ１〜Ｇ４毎に給気することで、広い室内において椅子１４の利用頻度や送風モード又は暖房モードの利用頻度、送風モード又は暖房モードの出力に対応したきめ細かい最適なタスク・アンビエント空調を実現することができ、広い室内におけるそれら椅子１４の利用者Ｙに最適な温度の空調空気を給気することができる。
【０１０４】
タスク・アンビエント空調システム１０は、アンビエント域空調制御変更手段１１が各椅子１４に付与された固体番号（識別子）を利用して各グループＧ１〜Ｇ４を特定するから、椅子１４の着座状態値（椅子１４に対する着座又は非着座）、送風装置３０及び加熱装置３１のＯＮ／ＯＦＦ状態値（送風装置３０及び加熱装置３１のＯＮ／ＯＦＦ）、椅子１４の送風モードの出力値又は暖房モードの出力値を各グループＧ１〜Ｇ４毎であって各椅子１４毎に把握することができ、ＯＮ状態にある椅子１４の割合が有効割合以上であるかを各グループＧ１〜Ｇ４毎に正確に判断することができるとともに、送風モードで運転している椅子１４の出力値又は暖房モードで運転している椅子１４の出力値を平均化した平均出力値が設定出力値以上であるかを各グループＧ１〜Ｇ４毎に正確に判断することができる。
【０１０５】
タスク・アンビエント空調システム１０は、固体番号（識別子）によって各椅子１４を特定し、固体番号（識別子）を利用して各グループＧ１〜Ｇ４を特定しつつ、運転状態判断手段やアンビエント空調制御変更演算手段を各グループＧ１〜Ｇ４毎に正確に実施することができるから、室１６の室内における椅子１４の利用者Ｙに最適な温度の空調空気を給気することができ、椅子１４の利用頻度や送風モード又は暖房モードの利用頻度、送風モードの出力値又は暖房モードの出力値に対応した最適なタスク・アンビエント空調を各グループＧ１〜Ｇ４毎に実現することができる。
【符号の説明】
【０１０６】
１０    タスク・アンビエント空調システム
１１    アンビエント域空調制御変更手段
１２    無線ＬＡＮルーター（通信装置）
１３    空調装置
１４    椅子
１５    建造物
１６    室
１７    エアコン用リモコン
１８    機械室
１９    通信中継器（通信プロトコル変換器）
２０    終端装置（ＯＮＵ）
２１    クラウド
２２    室外機
２３    天井
２４    室内機
２４ａ〜２４ｄ  室内機
２５    脚部
２６    支基
２７    座受部材
２８    座
２９    背もたれ
３０    送風装置
３１    加熱装置
３２    着座センサ
３３    キャスタ
３４    多岐脚
３５    脚柱
３６    支持フレーム
３７    背もたれ本体
３８    通気性張材
３９    送風ファン
４０    送風ダクト
４１    吹き出し口
４２    タスク域
４３    アンビエント域
４４ａ〜４４ｄ  送風ダクト
【図１】
2020173068.tif 000003
【図２】
2020173068.tif 000004
【図３】
2020173068.tif 000005
【図４】
2020173068.tif 000006
【図５】
2020173068.tif 000007
【図６】
2020173068.tif 000008
【図７】
2020173068.tif 000009